(57)【特許請求の範囲】
【請求項１】
固定接点を有する固定接触子と、この固定接点に接触する可動接点を備え、前記固定接触子に対して開閉動作を行なう可動接触子と、電流遮断時に発生するアークを消弧する消弧装置と、一端が前記可動接点に近接し、他端が前記消弧装置まで延在し、前記固定接点及び前記可動接点の間に発生した前記アークの前記可動接触子側の足を転流させて前記消弧装置まで導くアークランナとを備えた回路遮断器において、
前記アークランナを、前記固定接触子、前記可動接触子と比較して体積抵抗率が大きい高抵抗部材で構成するとともに、
前記一端及び前記他端の間の前記アークランナの側面に、当該アークランナに転流した前記アークが前記消弧装置に向けて移動するように電磁力を作用する永久磁石を対向配置したことを特徴とする回路遮断器。
【請求項２】
前記アークランナの両側面に一対の支持脚が対向し、且つ、当該アークランナの下方を囲っている磁性体からなるＵ字状の磁石支持体を配置し、前記支持脚の内側に前記永久磁石を配置したことを特徴とする請求項１記載の回路遮断器。
【請求項３】
前記永久磁石は、前記一対の支持脚の一方の内側に配置した第１の永久磁石と、前記一対の支持脚の他方の内側に配置した第２の永久磁石とを備え、
これら第１及び第２の永久磁石は、前記アークランナの側面に向けて異なる磁極を有して前記アークに対して前記電磁力を作用するようにしたことを特徴とする請求項２記載の回路遮断器。
【請求項４】
前記アークランナの体積抵抗率を１．０×１０−３〜１．０Ω・cmとしたことを特徴とする請求項１乃至３の何れか１項に記載の回路遮断器。
【請求項５】
前記アークランナを、炭素を主成分とする材料で形成したことを特徴とする請求項４記載の回路遮断器。
【発明の詳細な説明】
【技術分野】
【０００１】
本発明は、固定接点及び可動接点の間に発生したアークの可動接触子側の足を転流させて消弧装置まで導くアークランナを備えた回路遮断器に関する。
【背景技術】
【０００２】
図１３及び図１４は従来の回路遮断器の接触子部を示すものである。接触子部は、固定接点１ａを備えた固定接触子１と、固定接点１ａと接触する可動接点２ａを備え、図１３の右端を支点に固定接触子１に対して開閉動作をする可動接触子２とを有し、隙間を介して積層されたＶ字状の切欠きを有する複数枚のグリッド３を備えた消弧装置４が固定・可動接触子１，２に臨んで配置されている。
【０００３】
固定接触子１はＵ字状に折り返され、固定接点１ａが折り返し端に接合され、固定接触子１の先端にアークランナ６が取り付けられている。また、一対の脚部７ａとこれらの間を結ぶ連結部７ｂとを有するコ字状の磁性体７が、一対の脚部７ａがアークランナ６の両側に直立するように配置されている。
【０００４】
図１３及び図１４において、短絡などの発生により回路遮断器に大電流が通過し、この電流により可動接触子２に作用する電磁反発力が図示しない接触ばねの荷重を上回ると、図示しない開閉機構の動作に先立って可動接触子２が開極駆動され、固定・可動接点１ａ，２ａ間にアーク５が発生する。固定接点１ａの表面で発生していたアーク５は、アーク５に固定接点１ａから作用する電磁力によりアークランナ６側に移動を始め、固定接点１ａの表面での発弧からアークランナ６の表面での発弧に切り換わり、固定接点１ａの消耗が緩和される。アーク５が消弧装置４に接近すると、グリッド３の作用によりその内側に引き込まれて分断・冷却される。これにより、固定・可動接点１ａ，２ａ間の電圧が一気に高まり、電流は急速に限流されて遮断に至る。なお、図１３及び図１４で示す固定接触子１は、可動接触子２の反発力及びアーク５の駆動力をより高めるためにＵ字形状に曲げ部を設けているが、この曲げ部が存在しない固定接触子の場合も同様の作用となる。
【０００５】
このような回路遮断器の遮断性能を向上させるには、例えば接触子部の開極時の固定・可動接点の間の接点間ギャップを大きくすることでアーク電圧を高め、接点間電圧を直流配電システムの電源電圧よりも高めることで電流を減衰させ、遮断を行っていた（以下、第１の従来の回路遮断器と称する）。
【０００６】
また、回路遮断器の遮断性能を向上させる方法として、例えば特許文献１に示す回路遮断器がある（以下、第２の従来の回路遮断器と称する）。この回路遮断器は、図１５に示すように、導体１７及び第２のアーク走行板２２の間に抵抗体１９が接続されている。通常の使用状態では、操作ハンドル１０を投入操作すると、可動接触子１１の可動接点１１ａが固定接触子１２の固定接点１２ａと接触し、回路電流が第１の外部端子１３からコイル１４，固定接触子１２、可動接触子１１，可撓銅撚線１５，バイメタル１６、導体１７及び第２の外部端子１８へと流れ、抵抗体１９には通過しない。また、短絡が発生して瞬時引き外し装置２０が動作すると、可動接点１１ａと固定接点１２ａの間に発生したアークが可動接触子１１と固定接触子１２との間に移行し、さらにアークは上方に設けられた第１のアークランナ２１と、下方に設けられた第２のアークランナ２２との間に転流し、消弧室２３に誘引されて分断消弧される。短絡電流は、アークが第１及び第２のアークランナ２１，２２の間に転流するときに、抵抗体１９を通じて導体１７に流れ、抵抗体１９の電圧降下により端子間電圧が高められ、減衰して遮断される。
【先行技術文献】
【特許文献】
【０００７】
【特許文献１】実開平２−１１５２４１号公報
【発明の概要】
【発明が解決しようとする課題】
【０００８】
しかし、図１３及び図１４で示した第１の従来の回路遮断器は、接点間に発生するアーク電圧を電源電圧よりも高めるために固定・可動接点１ａ，２ａの間の接点間ギャップを大きくすると、大型の回路遮断器となるおそれがある。逆に、固定・可動接点１ａ，２ａ間の接点間ギャップを大きくせず、回路遮断器を従来の交流配電システムと同程度の大きさにすると、直流配電システムに使用した場合に十分な遮断性能が得られないおそれがある。
【０００９】
また、図１５で示した第２の従来の回路遮断器は、アークをインピーダンスが高い電流経路の部材（抵抗体１９）へ転流させるにはより強い電磁力が必要となる。
通常、電磁力を高める方法として、磁性体をアーク発生部位の近傍に配置し、導体及びアークを流れる電流により発生する磁界を集中させることにより、電磁力を高める方法が考えられる。
【００１０】
しかし、抵抗体による端子間電圧の効果が十分に得られる領域（例えば、通常電流１０００Ａ、抵抗体１９の抵抗値０．１Ω、抵抗体１９による端子間電圧の上昇効果１００Ｖ）では、電流により発生する磁界のみではアークに作用する電磁力が弱く、抵抗体１９にアークを転流させることが困難であるという問題が生じていた。
そこで、本発明は、上記事情に鑑みてなされたものであり、アークの転流が容易となって遮断性能を向上させることができる回路遮断器を提供することを目的としている。
【課題を解決するための手段】
【００１１】
上記目的を達成するために、本発明に係る請求項１記載の回路遮断器は、固定接点を有する固定接触子と、この固定接点に接触する可動接点を備え、前記固定接触子に対して開閉動作を行なう可動接触子と、電流遮断時に発生するアークを消弧する消弧装置と、一端が前記可動接点に近接し、他端が前記消弧装置まで延在し、前記固定接点及び前記可動接点の間に発生した前記アークの前記可動接触子側の足を転流させて前記消弧装置まで導くアークランナとを備えた回路遮断器において、前記アークランナを、前記固定接触子、前記可動接触子と比較して体積抵抗率が大きい高抵抗部材で構成するとともに、前記一端及び前記他端の間の前記アークランナの側面に、当該アークランナに転流した前記アークが前記消弧装置に向けて移動するように電磁力を作用する永久磁石を対向配置した。
【００１２】
この発明によると、体積抵抗率の高いアークランナにアークを転流させて電圧の上昇を得ることで、大きな限流効果を得ることができるとともに、アークランナの側面に対向して配置した永久磁石が、アークランナに転流したアークに対して消弧装置に向かう電磁力を作用することで、アークの走行特性（転流特性）を向上させることができる。
【００１３】
また、請求項２記載の発明は、請求項１記載の回路遮断器において、前記アークランナの両側面に一対の支持脚が対向し、且つ、当該アークランナの下方を囲っている磁性体からなるＵ字状の磁石支持体を配置し、前記支持脚の内側に前記永久磁石を配置した。
この発明によると、磁石支持体が永久磁石の磁界を集中させて磁界が強まるので、さらにアークランナに転流したアークに対して消弧装置に向かう電磁力を作用する。
【００１４】
また、請求項３記載の発明は、請求項２記載の回路遮断器において、前記永久磁石は、前記一対の支持脚の一方の内側に配置した第１の永久磁石と、前記一対の支持脚の他方の内側に配置した第２の永久磁石とを備え、これら第１及び第２の永久磁石は、前記アークランナの側面に向けて異なる磁極を有して前記アークに対して前記電磁力を作用するようにした。
この発明によると、磁石支持体が磁界を集中させ、第１及び第２の永久磁石がさらに強い電磁力を作用するので、アークの走行特性（転流特性）がさらに向上する。
【００１５】
また、請求項４記載の発明は、請求項１乃至３の何れか１項に記載の回路遮断器において、前記アークランナの体積抵抗率を１．０×１０-3〜１．０Ω・cmとした。
さらにまた、請求項５記載の発明は、請求項４記載の回路遮断器において、前記アークランナを、炭素を主成分とする材料で形成した。
この発明によると、アークランナの高抵抗と同時に耐アーク性を得ることができる。
【発明の効果】
【００１６】
本発明に係る回路遮断器によれば、体積抵抗率の高いアークランナにアークを転流させて電圧の上昇を得ることで、大きな限流効果を得ることができるとともに、アークランナの側面に対向して配置した永久磁石が、アークランナに転流したアークに対して消弧装置に向かう電磁力を作用することで、アークの走行特性（転流特性）を向上させることができる。したがって、アークの転流が容易となって遮断性能が向上した回路遮断器を提供することができる。
【図面の簡単な説明】
【００１７】
【図１】本発明に係る第１実施形態の回路遮断器の電流遮断部の構造を示す断面図である。
【図２】本発明に係る第１実施形態の要部を示す斜視図である。
【図３】本発明に係る第１実施形態において電流遮断時に永久磁石が電磁力を作用する方向を示した図である。
【図４】永久磁石を備えていない電流遮断部を示す断面図である。
【図５】本発明に係る第１実施形態の電流遮断時における電圧変化を示すグラフである。
【図６】本発明に係る第１実施形態の電流遮断時における電流変化を示すグラフである。
【図７】本発明に係る第２実施形態の要部を示す斜視図である。
【図８】本発明に係る第２実施形態において電流遮断時に永久磁石が電磁力を作用する方向を示した図である。
【図９】本発明に係る第３実施形態の要部を示す斜視図である。
【図１０】本発明に係る第３実施形態において電流遮断時に永久磁石が電磁力を作用する方向を示した図である。
【図１１】本発明に係る第４実施形態の要部を示す斜視図である。
【図１２】本発明に係る第４実施形態において電流遮断時に永久磁石が電磁力を作用する方向を示した図である。
【図１３】従来の回路遮断器の遮断部の構造を示す図である。
【図１４】図１３の構造において消弧装置を外した状態を示す図である。
【図１５】他の従来の回路遮断器の構造を示す図である。
【発明を実施するための形態】
【００１８】
以下、本発明を実施するための形態（以下、実施形態という。）を、図面を参照しながら詳細に説明する。
（第１の実施形態）
図１は、本発明に係る直動２接点構造の回路遮断器の電流遮断部３０を示す断面図である。
電流遮断部３０は、各相通電路の外部端子３１，３２に、平角導体からなるＵ字状の固定接触子３３，３４が前後に対向して配置され、各々には固定接点３３ａ，３４ａが取り付けられている。短冊形の可動接触子３５は、固定接点３３ａ及び３４ａとそれぞれ接触可能な一対の可動接点３５ａ，３５ｂを有する。
【００１９】
可動接触子３５は、通電路を閉路する閉極状態では、接触スプリング（不図示）により固定接触子３３，３４側に押圧され、可動接点３５ａ及び３５ｂが固定接点３３ａ及び３４ａとそれぞれ接触することで、固定接触子３３，３４間を橋絡する。一方、通電路を開路する開極状態（図１の状態）では、可動接触子３５は開閉機構（不図示）により接触スプリングに抗して図１の矢印方向に押し下げられることで、固定接触子３３，３４から開離する。
【００２０】
また、可動接触子３５の前後には一対の消弧装置３６が配置され、その複数枚のグリッド３７は可動接触子３５の両端を囲んでいる。グリッド３７は、上面視においてＵ字状の磁性板からなり、左右一対の絶縁物の側壁（不図示）に支持されている。
また、可動接触子３５の下方には、前後の一対の消弧装置３６に向かって延在するランナ連結部材３８が設けられており、このランナ連結部材３８の両端部に、一対の消弧装置３６の下方に延在する一対のアークランナ３９ａ，３９ｂが設けられている。
【００２１】
さらに、図２にも示すように、一対のアークランナ３９ａ，３９ｂの側面に対向する位置に第１永久磁石４０ａ，４０ｂが配置されており、これら第１永久磁石４０ａ，４０ｂは、アークランナ３９ａ，３９ｂに移ったアーク４１が一対の消弧装置３６に向けて走行させる力を作用する。
一対のアークランナ３９ａ，３９ｂは、固定接触子３３，３４、固定接点３３ａ，３４ａ、可動接触子３５、可動接点３５ａ、３５ｂ及びランナ連結部材３８と比較して体積抵抗率が大きい材料が用いられている。
【００２２】
一般的に用いられる固定接触子３３，３４、固定接点３３ａ，３４ａ、可動接触子３５、可動接点３５ａ、３５ｂ及びランナ連結部材３８の体積抵抗率は１μΩ・cm程度であり、一対のアークランナ３９ａ，３９ｂは、それと比較して１０3倍〜１０6倍の体積抵抗率のもの（体積抵抗率が１．０×１０-3〜１．０Ω・cm）、具体的には炭素を主成分とした材料、例えばグラファイトが用いられている。
【００２３】
アークランナ３９ａ，３９ｂ全体の抵抗値は、直流電流の電源５００Ｖの回路において、遮断電流１０００Ａを想定した場合、アークランナ３９ａ，３９ｂによる電圧降下分を１００Ｖ程度に想定し、抵抗値が０．１Ω程度となるように形状、材質の決定を行なう。
第１永久磁石４０ａ，４０ｂは、表面磁束密度の高い、例えばネオジム系、サマリュウムコバルト系、フェライト系の磁石を材料とし、数１００ｍＴ以上の磁場を印加する。
【００２４】
図１の電流遮断部３０を有する回路遮断器は、通常の閉極動作時には、外部端子３１，固定接触子３３、固定接点３３ａ、可動接点３５ａ、可動接触子３５、可動接点３５ｂ、固定接点３４ａ、固定接触子３４、外部端子３２の経路で電流が流れる。
一方、過電流を検知した電流検知部（不図示）が開極機構部（不図示）を動作して図１のように開極し、或いは、短絡電流などの大電流が通過して電磁反発力により可動接触子３５が図１のように開極すると、固定・可動接点３３ａ，３５ａ及び３４ａ，３５ｂの間にアーク４１が発生する。
【００２５】
このアーク４１は、固定接触子３３，３４を流れる電流に基づく電磁力により、消弧装置３６に向かって移動し、消弧装置３６に引き込まれたアーク４１は、分析・冷却されて消弧され、短絡遮断動作が完了する。
その際、可動接触子３５の下方には、一対の消弧装置３６の下方に延在する一対のアークランナ３９ａ，３９ｂが設けられており、アーク４１の可動接触子３５側の足が一対のアークランナ３９ａ，３９ｂに発弧して消弧装置３６側に移動していく。このときの電流経路は、外部端子３１，固定接触子３３、アーク４１、アークランナ３９ａ、ランナ連結部材３８、アークランナ３９ｂ、アーク４１、固定接触子３４、外部端子３２の経路となる。
【００２６】
アーク４１がアークランナ３９ａ，３９ｂに転流すると、アークランナ３９ａ，３９ｂは体積抵抗率が高いので、アーク４１が電圧上昇を得る。
また、図３（ａ）に示すように、一方のアークランナ３９ａの側面に対向する位置に配置した第１永久磁石４０ａがアーク４１に対して電磁力（ローレンツ力）を作用し、アーク４１は、紙面に対して奥から手前の消弧装置３６に向かう方向に走行する。
さらに、図３（ｂ）に示すように、他方のアークランナ３９ｂの側面に対向して配置した第１永久磁石４０ｂがアーク４１に対して電磁力を作用し、アーク４１は、紙面に対して手前から奥の消弧装置３６に向かう方向に走行する。
【００２７】
ランナ連結部材３８から一対のアークランナ３９ａ，３９ｂにアーク４１を発弧、或いは一対のアークランナ３９ａ，３９ｂ上でアーク４１を走行させる場合、アーク電圧にアークランナ３９ａ，３９ｂの電圧効果の電圧が加わりアーク４１が維持するために必要なエネルギが高くなる。ここで、アーク４１は、維持しやすい経路で発弧しようとするため、アークランナ３９ａ，３９ｂを避けて伸長して維持しようとする。したがって、アーク４１をランナ連結部材３８から一対のアークランナ３９ａ，３９ｂに発弧させる場合と、一対のアークランナ３９ａ，３９ｂ上のアーク４１を一対の消弧装置３６に向けて走行させる場合には、アーク４１に作用する永久磁石の電磁力が必要であり、本実施形態のように一対のアークランナ３９ａ，３９ｂの側面に第１永久磁石４０ａ，４０ｂを配置することで、最も電磁力が必要となる部分に効果的に磁場を印加するのである。
【００２８】
ここで、図４は、図１の実施形態から第１永久磁石４０ａ，４０ｂを取り除いた電流遮断部の要部を示すものである。また、図５及び図６は、本実施形態（図５及び図６において磁石有りの特性線図）と、図４で示した電流遮断部を備えた回路遮断器（図５及び図６において磁石無しの特性線図）の電圧及び電流変化を示したものである。
【００２９】
図４の回路遮断部は、アーク４１に対して消弧装置３６に向かう力を作用するものが存在しないので、アーク４１は、固定接触子３３及びランナ連結部材３８から発弧して伸長した状態となる。そして、図５の磁石無しの特性線図で示すように、アーク４１の伸長によって所定値だけ電圧が上昇するが、アーク４１がアークランナ３９ａ，３９ｂに転流しないので電圧が上昇しない。また、図６の磁石無しの特性線図で示すように、電圧が上昇しないので電流が減少せず、限流効果を期待することができない。
【００３０】
これに対して、本実施形態は、アークランナ３９ａ，３９ｂに沿って配置した第１永久磁石４０ａ，４０ｂが、アーク４１に対して消弧装置３６に向かう電磁力を作用するので、アーク４１の可動接触子３５側の足が、体積抵抗率が高いアークランナ３９ａ，３９ｂに移って消弧装置３６側に移動していき、図５の磁石有りの特性線図で示すように、アーク４１の電圧が上昇する。アーク４１の電圧が上昇すると、図６の磁石有りの特性線図で示すように電流が減少していき、限流効果を得ることができる。
【００３１】
したがって、本実施形態では、体積抵抗率の高いアークランナ３９ａ，３９ｂにアーク４１を転流させて電圧の上昇を得ることで、大きな限流効果を得ることができるとともに、アークランナ３９ａ，３９ｂの側面に対向して配置した第１永久磁石４０ａ，４０ｂが、アークランナ３９ａ，３９ｂに転流したアーク４１に対して消弧装置３６に向かう電磁力を作用することで、アーク４１の走行特性（転流特性）を向上させることができる。
【００３２】
また、本実施形態の回路遮断器は直動２接点構造とし、アーク発生箇所及び消弧装置３６を各相（一極当り）に２箇所ずつ設けているので、より高いアーク電圧を得ることができ、高電圧の直流配電システムに対して十分な遮断性能を得ることができる。
また、本実施形態は、アーク電圧を高めるために固定・可動接点３３ａ，３５ａ及び３４ａ，３５ｂの間の接点間ギャップを大きくする必要がないので、小型の回路遮断器を提供することができる。
また、アークランナ３９ａ，３９ｂを、炭素を主成分とする材料で形成することで、高抵抗と同時に耐アーク性を得ることができる。
【００３３】
（第２の実施形態）
次に、図７及び図８は、本発明に係る第２実施形態の回路遮断器の電流遮断部を示す断面図である。なお、図１で示した構成と同一構成部分には、同一符号を付してその説明を省略する。
本実施形態は、図７及び図８（ａ）に示すように、一方のアークランナ３９ａの一方の側面に対向して配置した第１永久磁石４０ａ及びアークランナ３９ａの下方を囲むように磁石支持体４２が配置されている。
また、図８（ｂ）に示すように、他方のアークランナ３９ｂの他方の側面に対向して配置した第１永久磁石４０ｂ及びアークランナ３９ｂの下方を囲むように磁石支持体４２が配置されている。
【００３４】
一方のアークランナ３９ａ側に配置した磁石支持体４２は、図８（ａ）に示すように、左右の支持脚４２ａ，４２ｂがアークランナ３９ａの両側面に対向している磁性体からなるＵ字形の部材であり、一方の支持脚４２ａの内面に第１永久磁石４０ａが固定されている。
また、他方のアークランナ３９ｂ側に配置した磁石支持体４２も、図８（ｂ）に示すように、左右の支持脚４２ａ，４２ｂがアークランナ３９ａの両側面に対向している磁性体からなるＵ字形の部材であり、他方の支持脚４２ｂの内面に第１永久磁石４０ｂが固定されている。
【００３５】
そして、過電流を検知した電流検知部（不図示）が開極機構部（不図示）を動作して開極し、或いは、短絡電流などの大電流が通過して電磁反発力により可動接触子３５が開極すると、固定・可動接点３３ａ，３５ａ及び３４ａ，３５ｂの間に発生したアーク４１が、アークランナ３９ａ，３９ｂに転流する。
そして、図８（ａ）に示すように、一方の支持脚４２ａの内面に第１永久磁石４０ａを固定してアークランナ３９ａの下方を囲むように配置した磁石支持体４２が、第１永久磁石４０ａの磁界を集中させて磁界が強まるので、アーク４１に対して強い電磁力が作用する。これにより、アーク４１は、紙面に対して奥から手前の消弧装置３６に向かう方向への走行が促進される。
【００３６】
さらに、図８（ｂ）に示すように、他方の支持脚４２ｂの内面に第１永久磁石４０ｂを固定してアークランナ３９ｂの下方を囲むように配置した磁石支持体４２が、第１永久磁石４０ｂの磁界を集中させて磁界が強まるので、アーク４１に対して強い電磁力が作用する。これにより、アーク４１は、紙面に対して手前から奥の消弧装置３６に向かう方向への走行が促進される。
【００３７】
したがって、本実施形態は、アークランナ３９ａ，３９ｂの側面に対向して配置した第１永久磁石４０ａ，４０ｂと、アークランナ３９ａの下方を囲むように配置した磁石支持体４２とが、アークランナ３９ａ，３９ｂに転流したアーク４１に対して消弧装置３６に向かう強い電磁力を作用することで、アーク４１の走行特性（転流特性）をさらに向上させることができる。
【００３８】
（第３の実施形態）
次に、図９及び図１０は、本発明に係る第３実施形態の回路遮断器の電流遮断部を示す断面図である。
本実施形態は、図９及び図１０（ａ）に示すように、一方のアークランナ３９ａの一方の側面に対向する位置に第２永久磁石４３ａを配置し、一方のアークランナ３９ａの他方の側面に対向する位置に第３永久磁石４３ｂを配置している。
第２永久磁石４３ａは、一方のアークランナ３９ａの一方の側面に対向する面側がＮ極、アークランナ３９ａの一方の側面に対向しない面側がＳ極である。
【００３９】
また、第３永久磁石４３ｂは、一方のアークランナ３９ａの他方の側面に対向する面側がＳ極、アークランナ３９ａの他方の側面に対向しない面側がＮ極である。
また、図１０（ｂ）に示すように、他方のアークランナ３９ｂの他方の側面に対向する位置に第２永久磁石４３ａが配置され、他方のアークランナ３９ｂの一方の側面に対向する位置に第３永久磁石４３ｂが配置されている。そして、第２永久磁石４３ａは、他方のアークランナ３９ｂの他方の側面に対向する面側がＮ極であり、第３永久磁石４３ｂは、他方のアークランナ３９ｂの一方の側面に対向する面側がＳ極である。
【００４０】
そして、過電流を検知した電流検知部（不図示）が開極機構部（不図示）を動作して開極し、或いは、短絡電流などの大電流が通過して電磁反発力により可動接触子３５が開極すると、固定・可動接点３３ａ，３５ａ及び３４ａ，３５ｂの間に発生したアーク４１が、アークランナ３９ａ，３９ｂに転流する。
そして、図１０（ａ）に示すように、一方のアークランナ３９ａの両側面に対向する位置に配置した第２永久磁石４３ａ及び第３永久磁石４３ｂが、アーク４１に対して強い電磁力（ローレンツ力）を作用し、アーク４１は、紙面に対して奥から手前の消弧装置３６に向かう方向への走行が促進される。
【００４１】
さらに、図１０（ｂ）に示すように、他方のアークランナ３９ｂの両側面に対向して配置した第２永久磁石４３ａ及び第３永久磁石４３ｂが、アーク４１に対して強い電磁力を作用し、アーク４１は、紙面に対して手前から奥の消弧装置３６に向かう方向への走行が促進される。
したがって、本実施形態は、アークランナ３９ａ，３９ｂの両側面に対向して配置した第２永久磁石４３ａ及び第３永久磁石４３ｂが、アークランナ３９ａ，３９ｂに転流したアーク４１に対して消弧装置３６に向かう強い電磁力を作用することで、アーク４１の走行特性（転流特性）をさらに向上させることができる。
【００４２】
（第４の実施形態）
さらに、図１１及び図１２は、本発明に係る第４実施形態の回路遮断器の電流遮断部を示す断面図である。
本実施形態は、図１１及び図１２（ａ）に示すように、一方のアークランナ３９ａの一方の側面に対向する位置に第２永久磁石４３ａを配置し、一方のアークランナ３９ａの他方の側面に対向する位置に第３永久磁石４３ｂを配置しているとともに、これら第２永久磁石４３ａ及び第３永久磁石４３ｂを保持してアークランナ３９ａの下方を囲む磁石支持体４２が配置されている。
【００４３】
また、図１２（ｂ）に示すように、他方のアークランナ３９ｂの他方の側面に対向する位置に第２永久磁石４３ａを配置し、他方のアークランナ３９ｂの一方の側面に対向する位置に第３永久磁石４３ｂを配置しているとともに、これら第２永久磁石４３ａ及び第３永久磁石４３ｂを保持してアークランナ３９ｂの下方を囲む磁石支持体４２が配置されている。
そして、過電流を検知した電流検知部（不図示）が開極機構部（不図示）を動作して開極し、或いは、短絡電流などの大電流が通過して電磁反発力により可動接触子３５が開極すると、固定・可動接点３３ａ，３５ａ及び３４ａ，３５ｂの間に発生したアーク４１が、アークランナ３９ａ，３９ｂに転流する。
【００４４】
そして、図１２（ａ）に示すように、一方のアークランナ３９ａの両側面に対向する位置に配置した第２永久磁石４３ａ及び第３永久磁石４３ｂが、アーク４１に対して強い電磁力（ローレンツ力）を作用し、アーク４１は、紙面に対して奥から手前の消弧装置３６に向かう方向への走行が促進される。
さらに、図１２（ｂ）に示すように、他方のアークランナ３９ｂの両側面に対向して配置した第２永久磁石４３ａ及び第３永久磁石４３ｂが、アーク４１に対して強い電磁力を作用し、アーク４１は、紙面に対して手前から奥の消弧装置３６に向かう方向への走行が促進される。
【００４５】
したがって、本実施形態は、アークランナ３９ａ，３９ｂの両側面に対向して配置した第２永久磁石４３ａ及び第３永久磁石４３ｂが、アークランナ３９ａ，３９ｂに転流したアーク４１に対して消弧装置３６に向かう強い電磁力を作用し、さらに、第２永久磁石４３ａ及び第３永久磁石４３ｂを支持する磁石支持体４２が第２及び第３永久磁石４３ａ、４３ｂの磁界を集中させるので、さらにアーク４１の走行特性（転流特性）向上させることができる。
なお、本発明は、図１から図１２で示した直動２接点構造の回路遮断器に限るものではなく、図１３で示した可動接触子が回転軸回りに回動するようにした回路遮断器に適用してもよい。
【符号の説明】
【００４６】
３０…電流遮断部、３１，３２…外部端子、３３，３４…固定接触子、３３ａ，３４ａ…固定接点、３５…可動接触子、３５ａ，３５ｂ…可動接点、３６…消弧装置、３７…グリッド、３８…ランナ連結部材、３９ａ，３９ｂ…アークランナ、４０ａ，４０ｂ…第１永久磁石、４１…アーク、４２…磁石支持体、４２ａ，４２ｂ…支持脚、４３ａ…第２永久磁石、４３ｂ…第３永久磁石
【図１】
0005778966.tif 000002
【図２】
0005778966.tif 000003
【図３】
0005778966.tif 000004
【図４】
0005778966.tif 000005
【図５】
0005778966.tif 000006
【図６】
0005778966.tif 000007
【図７】
0005778966.tif 000008
【図８】
0005778966.tif 000009
【図９】
0005778966.tif 000010
【図１０】
0005778966.tif 000011
【図１１】
0005778966.tif 000012
【図１２】
0005778966.tif 000013
【図１３】
0005778966.tif 000014
【図１４】
0005778966.tif 000015
【図１５】
0005778966.tif 000016